(57)【要約】【課題】ＰＯＳレジスタ装置における商品の表示技術に関し、限定販売企画商品をＰＯＳレジスタから通常通り登録させながら、対象商品の現在の購入個数と限定販売企画の条件に合わせるための必要購入人数との関係及び次に行うべき操作を適切に提示することを可能にし、限定販売企画商品の登録作業の効率を向上させる。【解決手段】現在の売上取引で入力された商品識別情報及び商品数量と現在の顧客人数に基づいて、値引きマスタが参照されることにより、入力された商品識別情報が何れかの限定販売企画の対象商品に対応するか否かが判定される。対応する場合に、現時点で該当する限定販売企画を満たし該限定販売企画において限定価格とすることのできる商品数量（Ｓ３１５）、限定価格とすることのできない商品数量（Ｓ３１６）、及び限定販売企画を満たすために必要な顧客人数が計算されて限定販売企画対応状況としてポップアップ画面として表示される（Ｓ３１７）。【選択図】図４
2011013845.tif 000002
【特許請求の範囲】
【請求項１】
販売時点情報を入力する販売時点情報入力装置において、
限定販売企画毎に、値引条件及び限定販売の対象商品を特定する情報を記憶する値引きマスタを記憶する値引きマスタ記憶部と、
現在の売上取引で入力された商品識別情報及び商品数量と現在の顧客人数に基づいて、前記値引きマスタを参照することにより、該入力された商品識別情報が何れかの限定販売企画の対象商品に対応するか否か及び対応する場合に、現時点で該当する限定販売企画を満たし該限定販売企画において限定価格とすることのできる商品数量、該限定価格とすることのできない商品数量、及び該限定販売企画を満たすために必要な顧客人数を計算して限定販売企画対応状況として表示する限定販売企画対応状況計算表示部と、
を含むことを特徴とするＰＯＳレジスタ装置。
【請求項２】
前記限定販売企画対応の表示に合わせて、前記顧客人数の変更を入力させた上で前記限定販売企画対応状況計算表示部で再計算を行う第１の操作、前記顧客人数分の商品数量の商品を限定価格として前記入力された商品識別情報に対応する商品登録を行いそれ以外の商品数量の商品は限定価格でない価格で商品登録を行う第２の操作、又は前記顧客人数分の商品数量の商品を限定価格として前記入力された商品識別情報に対応する商品登録を行いそれ以外の商品数量の商品は商品登録を中止する第３の操作の何れかを選択させる操作選択部を更に含む、
ことを特徴とする請求項１に記載のＰＯＳレジスタ装置。
【請求項３】
販売時点情報を入力する販売時点情報入力方法において、
限定販売企画毎に、値引条件及び限定販売の対象商品を特定する情報を記憶する値引きマスタを記憶し、
現在の売上取引で入力された商品識別情報及び商品数量と現在の顧客人数に基づいて、前記値引きマスタを参照することにより、該入力された商品識別情報が何れかの限定販売企画の対象商品に対応するか否か及び対応する場合に、現時点で該当する限定販売企画を満たし該限定販売企画において限定価格とすることのできる商品数量、該限定価格とすることのできない商品数量、及び該限定販売企画を満たすために必要な顧客人数を計算して限定販売企画対応状況として表示する、
ことを特徴とするＰＯＳレジスタ装置での限定販売における必要人数の計算表示方法。
【請求項４】
前記限定販売企画対応の表示に合わせて、前記顧客人数の変更を入力させた上で前記限定販売企画対応状況の再計算を行う第１の操作、前記顧客人数分の商品数量の商品を限定価格として前記入力された商品識別情報に対応する商品登録を行いそれ以外の商品数量の商品は限定価格でない価格で商品登録を行う第２の操作、又は前記顧客人数分の商品数量の商品を限定価格として前記入力された商品識別情報に対応する商品登録を行いそれ以外の商品数量の商品は商品登録を中止する第３の操作の何れかを更に選択させる、
ことを特徴とする請求項３に記載のＰＯＳレジスタ装置での限定販売における必要人数の計算表示方法。
【請求項５】
販売時点情報を入力するコンピュータに、
限定販売企画毎に、値引条件及び限定販売の対象商品を特定する情報を記憶する値引きマスタを記憶し、
現在の売上取引で入力された商品識別情報及び商品数量と現在の顧客人数に基づいて、前記値引きマスタを参照することにより、該入力された商品識別情報が何れかの限定販売企画の対象商品に対応するか否か及び対応する場合に、現時点で該当する限定販売企画を満たし該限定販売企画において限定価格とすることのできる商品数量、該限定価格とすることのできない商品数量、及び該限定販売企画を満たすために必要な顧客人数を計算して限定販売企画対応状況として表示する、
ステップを実行させるためのプログラム。
【請求項６】
前記限定販売企画対応の表示に合わせて、前記顧客人数の変更を入力させた上で前記限定販売企画対応状況の再計算を行う第１の操作、前記顧客人数分の商品数量の商品を限定価格として前記入力された商品識別情報に対応する商品登録を行いそれ以外の商品数量の商品は限定価格でない価格で商品登録を行う第２の操作、又は前記顧客人数分の商品数量の商品を限定価格として前記入力された商品識別情報に対応する商品登録を行いそれ以外の商品数量の商品は商品登録を中止する第３の操作の何れかを更に選択させる、
ことを特徴とする請求項５に記載のプログラム。
【発明の詳細な説明】
【技術分野】
【０００１】
本発明は、ＰＯＳレジスタ装置における商品の表示技術に関する。
【背景技術】
【０００２】
小売店舗等において物品販売の売上実績を単品単位で集計する装置として、販売時点情報管理（ＰＯＳ：Ｐｏｉｎｔ  Ｏｆ  Ｓａｌｅ、以下「ＰＯＳ」と呼ぶ）システムが広く利用されている。
【０００３】
ＰＯＳシステムでは、商品名や価格、数量、日時などの販売実績情報が収集されることにより、商品の販売日、種類、価格、売上数を容易に把握することが可能となり、商品の経営分析が容易となる。
【０００４】
ＰＯＳシステムは主に、スーパーマーケットやコンビニエンスストア、外食産業（ファミリーレストラン、居酒屋等）、ガソリンスタンド、ホテル、ドラッグストア（薬局）などのチェーンストア等で導入される。
【０００５】
ＰＯＳシステムでは、バーコードなどによって商品にマーキングされた商品情報が、商品の購入時に、ＰＯＳレジスタやポータブルデータ端末に装備されたバーコードスキャナ装置やタッチパネル入力装置によって登録される。その後、その登録されたマーキング情報が、ストアサーバ又はストアコンピュータと呼ばれるコンピュータ（以下、「ストアサーバ」と呼ぶ）に送られ、そのストアサーバによって電子ジャーナルデータとして集計管理される。
【０００６】
ＰＯＳレジスタでは、例えばスーパーマーケットなどにおいて、一度に大量に購入され得る商品のマーキング情報が、バーコードスキャナ装置やタッチパネルキーボード装置によって次々に登録される。
【０００７】
ここで、スーパーマーケットなどでは、特定商品の特定個数までの購入ならば値引き等を行う限定販売企画が設定されることが多い。この場合、販売員は、購入される特売商品の購入個数が限定販売企画の条件に合うかどうかを、購入者の人数等と照らし合わせながら確認する必要がある。
【０００８】
このような限定販売企画商品をＰＯＳレジスタで扱う場合、従来は、販売員が買い物かごの中等に入れられている商品から対象商品を選り分けて数量を判別し、値引き価格を別途登録する等の作業を行っていた。
【先行技術文献】
【特許文献】
【０００９】
【特許文献１】特開平７−３７１６６号公報
【発明の概要】
【発明が解決しようとする課題】
【００１０】
ここで、スーパーマーケットなどに設置されるいわゆるレーンＰＯＳレジスタなどのように、顧客で混雑しやすい環境で急いで商品登録を行わなければならないような状況を想定する。このような状況下では、販売員が買い物かごの中等に入れられている商品から限定販売企画商品を選り分けて数量を判別しながら値引き価格を別途登録する等の作業を行うことは、神経を使う煩雑な作業となる。従って、特に不慣れな販売員などにおいて、レジ作業の停滞を招くおそれがあるという問題点を有していた。
【００１１】
そこで、本発明の１つの側面では、限定販売企画商品をＰＯＳレジスタから通常通り登録させながら、対象商品の現在の購入個数と限定販売企画の条件に合わせるための必要購入人数との関係及び次に行うべき操作を適切に提示することを可能にし、限定販売企画商品の登録作業の効率を向上させることを目的とする。
【課題を解決するための手段】
【００１２】
態様の一例では、販売時点情報を入力するＰＯＳレジスタ装置として実現され、以下の構成を有する。
値引きマスタ記憶部は、限定販売企画毎に、値引条件及び限定販売の対象商品を特定する情報を記憶する値引きマスタを記憶する。
【００１３】
限定販売企画対応状況計算表示部は、現在の売上取引で入力された商品識別情報及び商品数量と現在の顧客人数に基づいて、値引きマスタを参照することにより、入力された商品識別情報が何れかの限定販売企画の対象商品に対応するか否か及び対応する場合に、現時点で該当する限定販売企画を満たしその限定販売企画において限定価格とすることのできる商品数量、限定価格とすることのできない商品数量、及びその限定販売企画を満たすために必要な顧客人数を計算して限定販売企画対応状況として表示する。
【００１４】
また、操作選択部は、限定販売企画対応の表示に合わせて、顧客人数の変更を入力させた上で限定販売企画対応状況の再計算を行う第１の操作、顧客人数分の商品数量の商品を限定価格として入力された商品識別情報に対応する商品登録を行いそれ以外の商品数量の商品は限定価格でない価格で商品登録を行う第２の操作、又は顧客人数分の商品数量の商品を限定価格として入力された商品識別情報に対応する商品登録を行いそれ以外の商品数量の商品は商品登録を中止する第３の操作の何れかを選択させる。
【発明の効果】
【００１５】
本発明によれば、限定販売企画商品をＰＯＳレジスタから通常通り登録させることが可能となる。これと共に、現時点で限定販売企画を満たし限定価格とすることのできる商品の数量や、通常価格となってしまう商品の数量、限定販売企画を満たすために必要な購入人数等を自動計算し、それらの情報を適切に表示することが可能となる。更に、お客様人数分を限定価格としそれ以外は通常価格で販売することを選択するのか、お客様人数を変更することを選択するのか、お客様人数分を限定価格としそれ以外は登録を中止にすることを選択するのか等を促すメッセージを表示することができ、販売員に適切な作業を選択させることが可能となる。
【図面の簡単な説明】
【００１６】
【図１】実施形態の全体システム構成である。
【図２】ＰＯＳレジスタとローカルデータベースを実現するハードウェア構成図である。
【図３】実施形態の制御動作を示す動作フローチャート（その１）である。
【図４】実施形態の制御動作を示す動作フローチャート（その２）である。
【図５】商品マスタのデータ構成例を示す図である。
【図６】値引きマスタ／値引管理テーブルのデータ構成例を示す図である。
【図７】登録商品Ｗｏｒｋテーブルのデータ構成例を示す図である。
【図８】登録商品テーブルのデータ構成例を示す図である。
【図９】実施形態におけるポップアップ画面レイアウト例を示す図である。
【図１０】ディスプレイにおけるガイダンスレイアウト１の例を示す図である。
【図１１】ディスプレイにおけるガイダンスレイアウト２の例を示す図である。
【図１２】タッチパネル電子多項目キーボードにおけるガイダンスレイアウト１の例を示す図である。
【図１３】タッチパネル電子多項目キーボードにおけるガイダンスレイアウト２の例を示す図である。
【発明を実施するための形態】
【００１７】
以下、本発明を実施するための形態について図面を参照しながら詳細に説明する。
図１は、ＰＯＳシステムの実施形態の全体構成図である。
実施形態のシステムは、店舗毎に設置されるストアシステム１０１と、本部システム１０２と、ストアシステム１０１及び本部システム１０２を接続するブロードバンドネットワーク１０３とから構成される。
【００１８】
ストアシステム１０１は、図１では例えば＃１〜＃５として示されるように各店舗に設置される。１つの本部システム１０２が収容可能なストアシステム１０１は、最大で１０程度である。
【００１９】
ストアシステム１０１には、レーンＰＯＳレジスタ１０４（＃１）及びそれに接続されるローカルデータベース１０５（＃１）、カウンタＰＯＳレジスタ１０４（＃２）及びそれに接続されるローカルデータベース１０５（＃２）、対面ＰＯＳレジスタ１０４（＃３）及びそれに接続されるローカルデータベース１０５（＃３）、ＳＣＯ  ＰＯＳレジスタ１０４（＃４）及びそれに接続されるローカルデータベース１０５（＃４）、マルチパッド端末１０６、クライアントパソコン１０７が設置される。
【００２０】
レーンＰＯＳレジスタ１０４（＃１）は、スーパーマーケットなどの商品精算レーンに設置されるＰＯＳレジスタである。カウンタＰＯＳレジスタ１０４（＃２）は、コンビニエンスストアなどの商品精算カウンタに設置されるＰＯＳレジスタである。対面ＰＯＳレジスタ１０４（＃３）は、カウンタＰＯＳレジスタ１０４（＃２）の機能に袋詰め機能も併せて備えたＰＯＳレジスタである。ＳＣＯ  ＰＯＳレジスタ１０４（＃４）は、顧客自身が商品登録から支払いまで行うことのできるセルフチェックアウト機能を備えたＰＯＳレジスタである。以下の説明では、これらの各種ＰＯＳレジスタを総称してＰＯＳレジスタ１０４と呼ぶ。ＰＯＳレジスタ１０４にはそれぞれ、商品マスタや売上テーブル、及び後述する値引きマスタなどを含むローカルデータベース１０５が接続される。
【００２１】
マルチパッド端末１０６は、店舗管理者が、商品の価格チェック、価格変更、発注登録等を行うことができる。
クライアントパソコン１０７は、店舗管理者が、店舗の売上げを確認したり、商品の価格変更を把握したりすることができる。
【００２２】
各ＰＯＳレジスタ１０４及びクライアントパソコン１０７は、無線アクセスポイント１０８と無線接続され、ＬＡＮケーブル１１０、ルータ１０９、ブロードバンドネットワーク１０３を介して、本部システム１０２内の各店舗に対応したストアサーバ１１１と通信を行う。
【００２３】
本部システム１０２には、各店舗のストアシステム１０１に対向して、各店舗対応のストアサーバ１１１及びそれに接続されるストアデータベース１１２が設置される。各ストアサーバ１１１は、ＬＡＮケーブル１１５に接続されるルータ１１４、及びブロードバンドネットワーク１０３を介して、それぞれに対応するストアシステム１０１内の各ＰＯＳレジスタ１０４と通信する。なお、店舗対応のストアサーバ１１１及びそれに接続されるストアデータベース１１２は、図１の破線部分として示されるように、各ストアシステム１０１内に設置されてもよい。
【００２４】
以上のようにして、ストアシステム１０１内の各ＰＯＳレジスタ１０４とそのストアシステム１０１（店舗）に対応するストアサーバ１１１とが通信を行う。この結果、ストアシステム１０１内の各ＰＯＳレジスタ１０４において登録された商品の売上情報は、ほぼリアルタイム（数秒遅れ程度）で、そのストアシステム１０１（店舗）に対応したストアサーバ１１１に接続されるストアデータベース１１２に反映される。また、商品の価格情報や限定販売企画等が変更されストアデータベース１１２内の商品マスタや値引きマスタ等が更新されると、その更新内容がほぼリアルタイムで、対応する店舗内の各ＰＯＳレジスタ１０４に接続される各ローカルデータベース１０５に反映される。このようにして、ストアシステム１０１内の各ＰＯＳレジスタ１０４に接続される各ローカルデータベース１０５と、そのストアシステム１０１（店舗）に対応したストアサーバ１１１に接続されるストアデータベース１１２は、常に同期が取られる。
【００２５】
本部システム１０２において、ＬＡＮケーブル１１５に接続される各種管理サーバ１１３は、クレジットカードの管理や、ＦＳＰ（Ｆｒｅｑｕｅｎｔ  Ｓｈｏｐｐｅｒｓ  Ｐｒｏｇｒａｍ）による顧客管理、ポイント管理、全店の商品管理や限定販売企画管理、全店への速報管理などを個別に行うサーバである。各種管理サーバ１１３は、各店舗毎のストアサーバ１１１と通信を行って、各ストアデータベース１１２の登録内容（商品情報、ポイント情報、顧客情報等）を管理したり、各ストアシステム１０１内の各ＰＯＳレジスタ１０４に速報情報を通知したりする。
【００２６】
図２は、図１の各ＰＯＳレジスタ１０４とそれに接続されるローカルデータベース１０５を実現するハードウェア構成の一例を示す図である。
図２に示されるコンピュータは、ＣＰＵ２０１、メモリ２０２、外部記憶装置２０３、可搬記録媒体２０６が挿入される可搬記録媒体駆動装置２０５、及びネットワーク接続装置２０４を有し、これらがバス２１５によって相互に接続された構成を有する。
【００２７】
また、ＰＯＳレジスタ１０４独自の入力デバイスとして、キーボード２０７、タッチパネル電子多項目キーボード２０８、固定スキャナ２０９、タッチスキャナ２１０、磁気カードリーダ２１１、電子マネーリーダ２１２、ピンパッド２１３などが、バス２１５に接続される。キーボード２０７及びタッチパネル電子多項目キーボード２０８は、商品情報の登録などを行う。固定スキャナ２０９は、購入商品のバーコードをかざすことにより、購入商品のマーキング情報を読み取る。タッチスキャナ２１０は、固定スキャナ２０９と同じ機能を有するハンディタイプのスキャナである。磁気カードリーダ２１１は、クレジットカード情報を入力する。電子マネーリーダ２１２は、電子マネー情報を入力する。ピンパッド２１３は、クレジットカードなどの暗証番号をタイプ入力する。
【００２８】
更に、ＰＯＳレジスタ１０４独自の出力デバイスとして、商品登録情報を表示するディスプレイ２１４、レシートを印字するプリンタ２１５、及び自動釣銭札機２１６などが、バス２１５に接続される。
【００２９】
図２に示される構成は、図１の各ＰＯＳレジスタ１０４を実現できるコンピュータの一例であり、そのようなコンピュータはこの構成に限定されるものではない。
ＣＰＵ２０１は、ＰＯＳレジスタ１０４全体の制御を行う。メモリ２０２は、プログラムの実行、データ更新等の際に、外部記憶装置２０３（或いは可搬記録媒体２０６）に記憶されているプログラム又はデータを一時的に格納するＲＡＭ等のメモリである。ＣＰＵ２０１は、プログラムをメモリ２０２に読み出して実行することにより、ＰＯＳレジスタ１０４全体の制御を行う。
【００３０】
外部記憶装置２０３は、例えばハードディスク記憶装置である。主に各種データやプログラムの保存に用いられるほか、図１のローカルデータベース１０５を記憶する。
可搬記録媒体駆動装置２０５は、光ディスクやＳＤＲＡＭ、コンパクトフラッシュ（登録商標）等の可搬記録媒体２０６を収容するもので、外部記憶装置２０３の補助の役割を有する。
【００３１】
ネットワーク接続装置２０４は、図１の無線アクセスポイント１０８と通信を行うことのできる無線接続装置である。
以下に説明する本実施形態によるシステムは、それに必要な機能を搭載した制御プログラムをＣＰＵ２０１が実行することで実現される。そのプログラムは、例えば外部記憶装置２０３や可搬記録媒体２０６に記録して配布してもよく、或いはネットワーク接続装置２０４によりネットワークから取得できるようにしてもよい。ＣＰＵ２０１は、その制御プログラムに従って、２０７〜２１３の各入力デバイスを制御して、各入力デバイスからの商品登録情報等を入力する。また、ＣＰＵ２０１は、その制御プログラムに従って、２１４〜２１５の各出力デバイスを制御して、商品登録情報や限定販売に関するガイダンス等を表示又は印字する。更に、ＣＰＵ２０１は、自動釣銭札機２１６を制御して、釣銭の自動配布を行う。加えて、ＣＰＵ２０１は、制御プログラムに従って、ネットワーク接続装置２０４を制御して、図１のストアサーバ１１１との通信を実行する。
【００３２】
以上の図１及び図２の構成を有する本実施形態の動作について、以下に詳細に説明する。
図３及び図４は、各ＰＯＳレジスタ１０４（図１）内のＣＰＵ２０１（図２）が、メモリ２０２に記憶された制御プログラムを実行する動作として実現される、商品情報登録時の制御動作を示す動作フローチャートである。この動作フローチャートは、或る顧客に対する売上取引処理の中で、販売員によって１つの商品のマーキング情報が固定スキャナ２０９やタッチスキャナ２１０又はタッチパネル電子多項目キーボード２０８やキーボード２０７によって入力される毎に実行される。
【００３３】
まず、お客様が購入したい商品をＰＯＳレジスタ１０４(図１)まで持ってきて、お買上商品登録が行われる（ステップＳ３０１）。お客様人数としてデフォルト値：１人が、図２のメモリ２０２上に保持される変数ｊに代入される（ステップＳ３０２）。次に、お客様のお買上商品の登録が終わるまで商品登録が行われる（ステップＳ３０３）。商品登録は、ＪＡＮ（Ｊａｐａｎｓｅ  Ａｒｔｉｃｌｅ  Ｎｕｍｂｅｒ）コード等のスキャンコードの入力により行う(ステップＳ３０４)。この入力操作は、図２の固定スキャナ２０９又はタッチスキャナ２１０による商品に貼付されたバーコードの読取り、タッチパネル電子多項目キーボード２０８上のワンタッチキーによる商品選択、キーボード２０７によるスキャンコード又は短縮コードの手入力等によって行われる。なお、この商品登録の後に、キーボード２０７等から商品の数量を入力できるものとする。
【００３４】
次に、図１のＰＯＳレジスタ１０４に接続されるローカルデータベース１０５に記憶されている登録商品Ｗｏｒｋテーブルが参照され、登録した商品の情報が格納されているかが判定される(ステップ３０５)。登録した商品の情報が格納されていない場合、即ちステップＳ３０５がＹＥＳの場合は、新規の登録商品とみなし、ステップＳ３０４で入力されたスキャンコードをキーとして、商品マスタが参照され、登録した商品の情報が取得される。登録した商品の情報が格納されている場合、即ちステップＳ３０５がＮＯの場合は、ステップ３１１の数量登録判定に進む。図５は、ローカルデータベース１０５に記憶されている商品マスタのデータ構成例を示す図である。この商品マスタには、スキャンコードをキーとする商品毎に、標準価格及び商品名、ディスカウントＩＤ（ＤｉｓｃｏｕｎｔＩＤ）などの商品情報が登録されている。この商品マスタの登録内容は、図１のＰＯＳレジスタ１０４が属するストアシステム１０１に対応するストアサーバ１１１により、それに接続されるストアデータベース１１２の内容と同期するように、ほぼリアルタイムで更新されている。ステップＳ３０６では、ステップＳ３０４で入力されたスキャンコードをキーとして、商品マスタが検索される。そして、入力されたスキャンコードと同じスキャンコードを有するレコードに登録されている商品登録情報が取得される（ステップＳ３０７）。
【００３５】
次に、図１のＰＯＳレジスタ１０４に接続されるローカルデータベース１０５に記憶されている値引きマスタの１つである値引管理テーブルが参照される（ステップＳ３０８）。図６は、ローカルデータベース１０５に記憶されている値引きマスタの１つである値引管理テーブルのデータ構成例を示す図である。この値引管理テーブルには、各商品のディスカウントＩＤ（ＤｉｓｃｏｕｎｔＩＤ）に対応させて値引方法、値引値、限定個数などの値引情報が登録されている。ディスカウントＩＤは、限定販売企画を識別するための識別子である。即ち、値引管理テーブルは、どの商品がどの限定販売企画に該当するかを示すマスタテーブルである。値引管理テーブルの１つのレコードが、１種類の限定販売企画に対応する。「値引方法」項目には、「１：割引」「２：値引」「３：価格変更」の何れかの値が登録される。「値引値」項目には「値引方法」項目での指定値に応じて「１：値引率（％）」「２：値引額（円）」「３：変更後価格（円）」の何れかの単位による値が登録される。「限定個数」項目には、限定販売企画商品の限定個数が格納される。限定個数がない場合はＮＵＬＬ値が格納される。この値引管理テーブルの登録内容も、図１のＰＯＳレジスタ１０４が属するストアシステム１０１に対応するストアサーバ１１１により、それに接続されるストアデータベース１１２の内容と同期するように、ほぼリアルタイムで更新されている。ステップＳ３０８では、ステップＳ３０４で入力されたスキャンコードをキーとしてディスカウントＩＤが取得され、取得されたディスカウントＩＤをキーとして、図１のＰＯＳレジスタ１０４に接続されるローカルデータベース１０５に記憶されている上記値引管理テーブルが参照される。これにより、値引管理テーブルから、値引情報が取得される（ステップＳ３０９）。
【００３６】
次に、ステップＳ３０７及びステップＳ３０９で取得された情報が、登録商品Ｗｏｒｋテーブルに格納される（ステップＳ３１０）。図７は、ローカルデータベース１０５に記憶されている登録商品Ｗｏｒｋテーブルのデータ構成例を示す図である。この登録商品Ｗｏｒｋテーブルには、スキャンコードをキーとし、お客様が購入したい商品のうち既に入力された商品の標準価格及び商品名などの商品情報、値引情報が登録されている。
【００３７】
次に、ステップＳ３１１により、ステップＳ３０４で入力されたスキャンコードに数量登録が行われたかが判定される。登録した商品に数量登録がされている場合、即ちステップＳ３１１がＹＥＳの場合は、ステップＳ３０４のスキャンコードをキーにして登録商品Ｗｏｒｋテーブルの該当レコードが検索され、入力された登録数量が検索されたレコードの登録数量項目に足し込まれて格納される（ステップＳ３１２）。登録した商品に数量登録がされていない場合、即ちステップＳ３１１がＮＯの場合は、ステップＳ３０４のスキャンコードをキーにして登録商品Ｗｏｒｋテーブルの該当レコードが検索され、検索されたレコードの登録数量項目に数量「１」が格納される（ステップＳ３１３）。
【００３８】
次に、ステップＳ３１０の格納結果に基づいて、ステップＳ３０４で入力されたスキャンコードに対応する商品が限定販売企画対象商品（限定販売商品）であるか否かが判定される（ステップＳ３１４）。即ち、ステップＳ３０４で、入力されたスキャンコードに対応するディスカウントＩＤから限定個数が抽出できた場合は、そのスキャンコードに対応する商品は限定販売商品である。逆に、入力されたスキャンコードに対応するディスカウントＩＤから限定個数が抽出できなかった場合は、そのスキャンコードに対応する商品は限定販売商品ではない。
【００３９】
ステップＳ３１４の判定がＮＯである場合には、通常の商品売上処理が実行され、登録商品Ｗｏｒｋテーブルに登録されている情報から、スキャンコード、商品名、個数、価格が、登録商品テーブルに登録され、個数×価格から合価が算出され、合価も登録商品テーブルに登録される(ステップＳ３１５)。以上の操作を行い、ステップＳ３０４で入力されたスキャンコードに対応する商品登録を終了する。図８は、ローカルデータベース１０５に記憶されている登録商品テーブルのデータ構成例を示す図である。この登録商品テーブルには、スキャンコードをキーとする商品毎に、商品名、個数、価格、合価などの商品情報が登録されている。ここでは、価格が格納される際に、値引方法に基づく値引値による値引きが行われて格納される。より具体的には、例えば図７に示されるように、登録商品Ｗｏｒｋテーブル上の登録対象レコードの「値引方法」項目に割引を示す値「１」が設定されている場合には、上記登録対象レコードの「値引値」項目として設定されている値引率を標準価格に乗じて得られる額を標準価格から減じて得られる額が価格とされる。また、「値引方法」項目に値引きを示す値「２」が設定されている場合には、標準価格から「値引値」として設定されている値引額を減じて得られる額が価格とされる。更に、「値引方法」項目に価格変更を示す値「３」が設定されている場合には、「値引値」として設定されている変更後価格が価格とされる。この商品マスタの登録内容は、図１のＰＯＳレジスタ１０４が属するストアシステム１０１に対応するストアサーバ１１１により、それに接続されるストアデータベース１１２の内容と同期するように、ほぼリアルタイムで更新されている。登録商品テーブルに登録された商品は、図２のディスプレイに購入履歴として表示される。
【００４０】
入力されたスキャンコードに対応する商品が限定販売商品であってステップＳ３１４の判定がＹＥＳである場合には、まず、登録商品テーブルにステップＳ３０４で入力されたスキャンコードに対応する商品登録があるか否かが判定される(ステップＳ３１６)。
【００４１】
ステップＳ３１６の判定がＹＥＳである場合には、先行するスキャンによって登録された限定販売商品の登録個数と今回入力された同じ商品の登録個数を合算して限定販売企画の条件に合致するか、判断し直す必要がある。このため、登録商品テーブル上の入力スキャンコードに対応する全てのレコードの登録個数の合計が保存された後に、それらの全レコードが登録商品テーブルからいったん削除される（ステップＳ３１７）。
【００４２】
次に、ステップＳ３１７の処理の後又はステップＳ３１６の判定がＮＯである場合に、値引管理テーブルから取得された値引情報中の限定個数が、図２のメモリ２０２上に保持される変数ｉに代入される（ステップＳ３１８）。
【００４３】
次に、ステップＳ３１７が実行された場合には、そこで保存された登録個数の合計値と今回入力された登録個数とが合算されて新たな登録個数とされ、ステップＳ３１７が実行されなかった場合には、今回入力された登録個数が新たな登録個数とされる。その上で、ステップＳ３１８で変数ｉに設定された限定個数に、変数ｊに設定されているお客様人数（初期値はステップＳ３０２で設定）を乗算して得られる個数が、登録個数以上であるか否かが判定される（ステップＳ３１９）。
【００４４】
ステップ３１９の判定(限定個数×お客様人数≧登録個数)がＹＥＳである場合には、登録商品Ｗｏｒｋテーブルに登録されている情報から、スキャンコード、商品名、個数、価格、が登録商品テーブルに登録され、個数×価格から合価が算出され、合価も登録商品テーブルに登録される(ステップＳ３２０)。以上の操作を行い、ステップＳ３０４で入力されたスキャンコードに対応する商品登録を終了する。ここでは、前述したように、価格が格納される際に値引方法に基づく値引値による値引きが行われ格納される。より具体的には、例えば図７に示されるように、登録商品Ｗｏｒｋテーブル上の登録対象レコードの「値引方法」項目に割引を示す値「１」が設定されている場合には、上記登録対象レコードの「値引値」項目として設定されている値引率を標準価格に乗じて得られる額を標準価格から減じて得られる額が価格とされる。また、「値引方法」項目に値引きを示す値「２」が設定されている場合には、標準価格から「値引値」として設定されている値引額を減じて得られる額が価格とされる。更に、「値引方法」項目に価格変更を示す値「３」が設定されている場合には、「値引値」として設定されている変更後価格が価格とされる。
【００４５】
次に、ステップＳ３１９の判定がＮＯである場合には、現在の登録個数は限定販売企画の条件を満たしていない。この場合にはまず、現在の登録個数が、図２のメモリ２０２上に保持される変数ｉに設定されている限定個数で除算されて、小数点以下が切り上げられることにより、限定販売企画を満たすために必要な購入人数が計算される。そして、その必要購入人数が、図２のメモリ２０２上に保持される変数ｌ（エル）に代入される（ステップＳ３２１）。
【００４６】
次に、図２のメモリ２０２上に保持されている変数iに設定されている限定個数に変数ｊに設定されているお客様人数が乗算されることにより、現時点で限定販売企画を満たし限定価格とすることのできる商品の数量（限定価格個数）が算出される（図４のステップＳ３２２）。
【００４７】
次に、現在の登録個数からステップＳ３２２にて算出された限定価格個数が減算されることにより、通常価格となってしまう商品の数量（通常価格個数）が算出される（ステップＳ３２３）。
【００４８】
次に、図２のディスプレイ２１４の画面又はタッチパネル電子多項目キーボード２０８の画面に、限定販売企画対応状況を示すポップアップ画面が表示される（ステップＳ３２４）。図９は、ポップアップ画面のレイアウト例を示す図である。この画面には、現在のお客様人数＝変数ｊの値と、現在の限定価格個数＝ステップＳ３２２の算出値と、全て限定価格となるために必要な人数＝変数ｌの値と、そのときの限定価格個数＝変数ｌ×変数iの値が表示される。このポップアップ画面には更に、お客様人数分を限定価格としそれ以外は通常価格で販売することを選択するならば「決定」ボタンを、お客様人数を変更することを選択するならば「変更」ボタンを、お客様人数分を限定価格としそれ以外は登録を中止にすることを選択するならば「不要」ボタンにタッチするように促すメッセージが表示される。
【００４９】
更に、上述のポップアップ画面と共に、ガイダンスも表示される（ステップＳ３２５）。図１０はポップアップ画面と共にディスプレイ２１４に表示されるガイダンスの例、図１２はポップアップ画面と共にタッチパネル電子多項目キーボード２０８に表示されるガイダンスの例である。ガイダンスとしては、例えば「お客様人数を確認してください」といった文字列が表示される。
【００５０】
上述のポップアップ画面及びガイダンスの表示に従って、ＰＯＳレジスタ１０４を操作する販売員は、ポップアップ画面上の「決定」「変更」又は「不要」の何れかのボタンにタッチする。
【００５１】
次に、タッチされたボタンの種別が判定される（ステップＳ３２６）。
タッチされたボタンの種別が「変更」であれば、お客様人数の入力を促すガイダンスが表示される（ステップＳ３２７）。図１１はポップアップ画面と共にディスプレイ２１４に表示されるガイダンスの例、図１３はポップアップ画面と共にタッチパネル電子多項目キーボード２０８に表示されるガイダンスの例である。ガイダンスとしては、例えば「お客様人数を入力してください［数値］＋登録キー」といった文字列が表示される。
【００５２】
この表示に応答して、販売員が新たなお客様人数を確認しその人数を図２のキーボード２０７やタッチパネル電子多項目キーボード２０８から入力する（ステップＳ３２８）。
次に、新たに入力されたお客様人数が変数ｊに新たに代入される（ステップＳ３２９）。
【００５３】
次に、変数ｊに設定された新たなお客様人数が、図３のステップＳ３２１にて変数ｌに得られた必要購入人数以上であるか否かが判定される（ステップＳ３３０）。
変数ｊの値が変数ｌの値以上であってステップＳ３３０の判定がＹＥＳならば、限定販売企画の条件が満たされたため、現在の登録数量分の商品が限定価格で商品登録される（ステップ３２０）。限定価格の計算方法は、ステップＳ３２０の説明にて前述した通りである。ステップＳ３２０の処理の後、限定販売対象商品の商品登録を終了する（ステップＳ３３５）。
【００５４】
変数ｊの値が変数ｌの値よりも小さくステップＳ３３０の判定がＮＯならば、依然として限定販売企画の条件が満たされていない。この場合には、前述したステップＳ３２２の処理に戻って、限定販売価格個数及び通常価格個数が計算し直されて、それに基づくポップアップ画面及びガイダンスが再表示される（ステップＳ３２２〜Ｓ３２５）。
【００５５】
販売員によりタッチされたボタンの種別が「決定」であれば、その操作は、お客様人数分を限定価格としそれ以外は通常価格で販売することが選択されたことを意味する。この場合にはまず、ステップＳ３２２で算出された限定価格個数分の商品が、限定価格で商品登録される（ステップ３３１）。限定価格の計算方法は、前述したステップＳ３２０の場合と同じである。ステップＳ３３１の処理の後、ステップＳ３２３で算出された通常価格個数分の商品が、通常価格即ちステップＳ３０６で商品登録情報として得られた標準価格で商品登録される（ステップ３３２）。ステップＳ３３２の処理の後、限定販売対象商品の商品登録を終了する（ステップＳ３３５）。
【００５６】
販売員によりタッチされたボタンの種別が「不要」であれば、その操作は、お客様人数分を限定価格としそれ以外は登録を中止にすることが選択されたことを意味する。この場合にはまず、ステップＳ３２２で算出された限定価格個数分の商品が、限定価格で商品登録される（ステップ３３３）。限定価格の計算方法は、前述したステップＳ３２０の場合と同じである。ステップＳ３３３の処理の後、ステップＳ３２３で算出された通常価格個数分の残った商品の登録が中止される（ステップＳ３３４）。ステップＳ３３４の処理の後、限定販売対象商品の商品登録を終了する（ステップＳ３３５）。
【００５７】
最後に、登録商品の支払い操作を行い（ステップＳ３３６）、お客様のお買上商品登録を終了とする。
以上のようにして、本実施形態では、限定販売企画商品をＰＯＳレジスタ１０４から通常通り登録させることができる。これと共に、現時点で限定販売企画を満たし限定価格とすることのできる商品の数量（限定価格個数）や、通常価格となってしまう商品の数量（通常価格個数）、限定販売企画を満たすために必要な購入人数等を自動計算し、それらの情報をポップアップ画面として表示できる。更に、お客様人数分を限定価格としそれ以外は通常価格で販売することを選択するのか、お客様人数を変更することを選択するのか、お客様人数分を限定価格としそれ以外は登録を中止にすることを選択するのか等を促すメッセージを表示することができ、販売員に適切な作業を選択させることが可能となる。
【符号の説明】
【００５８】
１０１  ストアシステム
１０２  本部システム
１０３  ブロードバンドネットワーク
１０４  ＰＯＳレジスタ
１０４（＃１）  レーンＰＯＳレジスタ
１０４（＃２）  カウンタＰＯＳレジスタ
１０４（＃３）  対面ＰＯＳレジスタ
１０４（＃４）  ＳＣＯ  ＰＯＳレジスタ
１０５  ローカルデータベース
１０６  マルチパッド端末
１０７  クライアントパソコン
１０８  無線アクセスポイント
１０９、１１４  ルータ
１１０、１１５  ＬＡＮケーブル
１１１  ストアサーバ
１１２  ストアデータベース
１１３  各種管理サーバ
２０１  ＣＰＵ
２０２  メモリ
２０３  外部記憶装置
２０４  ネットワーク接続装置
２０５  可搬記録媒体駆動装置
２０６  可搬記録媒体
２０７  キーボード
２０８  タッチパネル電子多項目キーボード
２０９  固定スキャナ
２１０  タッチスキャナ
２１１  磁気カードリーダ
２１２  電子マネーリーダ
２１３  ピンパッド
２１４  ディスプレイ
２１５  プリンタ
２１６  自動釣銭札機
【図１】
2011013845.tif 000003
【図２】
2011013845.tif 000004
【図３】
2011013845.tif 000005
【図４】
2011013845.tif 000006
【図５】
2011013845.tif 000007
【図６】
2011013845.tif 000008
【図７】
2011013845.tif 000009
【図８】
2011013845.tif 000010
【図９】
2011013845.tif 000011
【図１０】
2011013845.tif 000012
【図１１】
2011013845.tif 000013
【図１２】
2011013845.tif 000014
【図１３】
2011013845.tif 000015